(57)【要約】  清掃装置２０が、ドアが吊り下げられるハンガ４ｂに固定されるハンガ固定部と、ドアレール６を清掃する際にドアレール６の上面６ｂに接触する底面５２ａを有して、ドアレール６上の異物をこそげとるためのスクレイパー部５２を備えるようにする。清掃装置２０をハンガ４ｂに固定した状態でドアを移動させることで、スクレイパー部５２でドアレール６の上面６ｂ上の異物をこそげとり、ドアレール６の上端部を清掃する。
2020008596.tif 000002
【特許請求の範囲】
【請求項１】
エレベーターにおいてドアを吊り下げ案内するドアレールを清掃するためのドアレール清掃装置であって、
前記ドアが吊り下げられるハンガに固定されるハンガ固定部と、
前記ドアレールを清掃する際に前記ドアレールの上面に接触する下面を有して、前記ドアレール上の異物をこそげとるための異物除去部と、
を備える、ドアレール清掃装置。
【請求項２】
前記ドアの全開状態において、前記異物除去部の前記下面の一部が前記ドアレールの前記上面に接触すると共に前記下面の先端が前記ドアレールの一方側先端から外側に突出するように、前記ハンガ固定部を前記ハンガに固定できる、請求項１に記載のドアレール清掃装置。
【請求項３】
前記異物除去部が高さ方向の一方側に前記高さ方向に略直交する方向に延在するように設けられ、高さ方向の他方側に位置する部分を有する給油材取付部を含む本体と、
先端側が前記本体から前記高さ方向の他方側に突出している状態で前記給油材取付部に取り付けられ、油が含浸可能な材料で構成される給油材と、
前記本体を保持する保持部、及び前記ハンガ固定部を有する保持具と、を備え、
前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能である、請求項１又は２に記載のドアレール清掃装置。
【請求項４】
前記給油材取付部は、前記高さ方向の他方側に開口を有する収容凹部であり、
前記給油材は、前記収容凹部に収容される収容部と、前記開口から前記高さ方向の他方側に突出する突出部を有し、
前記本体は、前記収容凹部の底部を構成する底板部を前記高さ方向の一方側に有し、
前記底板部が、前記収容凹部に連通する貫通孔を有する、請求項３に記載のドアレール清掃装置。
【請求項５】
前記ハンガに取り付けられるハンガ取付部、及び高さ方向に延在する押圧部を有する押圧構造を更に備え、
前記第２状態において前記押圧部が前記給油材取付部に取り付けられた前記給油材を前記高さ方向の一方側に押圧することで前記異物除去部を前記上面に押圧する、請求項３又は４に記載のドアレール清掃装置。
【請求項６】
請求項１乃至５のいずれか１つに記載のドアレール清掃装置を用いてエレベーターにおいてドアを吊り下げ案内するドアレールを清掃するドアレール清掃方法であって、
前記ドアの全開状態において、前記ドアレール清掃装置の前記異物除去部の前記下面の一部が前記ドアレールの上面に接触すると共に前記下面の先端が前記ドアレールの一方側先端から外側に突出するように、前記ハンガ固定部を前記ハンガに固定する固定ステップと、
前記固定ステップの後、前記ドアを前記全開状態まで開き方向に移動させる移動ステップと、を含む、ドアレール清掃方法。
【請求項７】
請求項１乃至５のいずれか１つに記載のドアレール清掃装置を備える、エレベーター。
【請求項８】
ドアの全開状態において、前記ドアレール清掃装置の前記異物除去部の前記下面の一部がドアレールの上面に接触すると共に前記下面の先端が前記ドアレールの一方側先端から外側に突出する、請求項７に記載のエレベーター。
【発明の詳細な説明】
【技術分野】
【０００１】
本発明は、エレベーターにおいてドアを吊り下げ案内するドアレールを清掃するためのドアレール清掃装置、及びドアレール清掃方法に関する。また、本発明は、エレベーターに関する。
【背景技術】
【０００２】
特許文献１に記載されているように、エレベーターは、カゴや乗場に設置されるドアを吊り下げ案内するドアレールを備える。詳しくは、ドアは、ハンガに吊り下げられ、ハンガには、ドアレール上を移動するローラが回転自在に取り付けられる。
【先行技術文献】
【特許文献】
【０００３】
【特許文献１】国際公開第２００６／０９７９９７号
【発明の概要】
【発明が解決しようとする課題】
【０００４】
ローラのドアレール上の移動に伴って、埃や潤滑油等の異物がドアレール上を端部に移動し易く該端部に溜まり易い。更には、特にカゴに設置されるドアレールの場合、人の手がドアレールの端部に届きにくく、該端部に溜まった異物を除去しにくい。しかし、その端部に溜まった異物を除去できないと、異物がドアの円滑な開閉の妨げになる虞がある。【０００５】
そこで、本発明の目的は、エレベーターのドアレールの端部に溜まった異物を容易に除去し易いドアレール清掃装置、及びドアレール清掃方法を提供することにある。また、本発明の目的は、ドアレールの端部に溜まった異物を容易に除去し易いエレベーターを提供することにある。
【課題を解決するための手段】
【０００６】
上記課題を解決するため、本発明に係るドアレール清掃装置は、エレベーターにおいてドアを吊り下げ案内するドアレールを清掃するためのドアレール清掃装置であって、前記ドアが吊り下げられるハンガに固定されるハンガ固定部と、前記ドアレールを清掃する際に前記ドアレールの上面に接触する下面を有して、前記ドアレール上の異物をこそげとるための異物除去部と、を備える。【０００７】
本発明によれば、異物除去部の下面をドアレールの上面に接触させると共に異物除去部をレール上を摺動するローラよりも先端側に配置した状態でドアレール清掃装置をエレベーターのハンガに固定できる。また、ドアレール清掃装置をそのようにハンガに固定した状態で、ドアを全開状態まで開き方向に移動させたり、全開状態から閉じ方向に移動させることができる。したがって、その動作で、ドアレールの端部に溜まっている異物を異物除去部でこそげとってドアレール外に押し出したり、こそげとった異物を異物除去部にくっつけてドアレールの内側に運ぶことが可能になる。よって、ドアレールの端部に位置する異物を除去し易くなるので、ドアを円滑に移動させることができる。【０００８】
また、本発明において、前記ドアの全開状態において、前記異物除去部の前記下面の一部が前記ドアレールの前記上面に接触すると共に前記下面の先端が前記ドアレールの一方側先端から外側に突出するように、前記ハンガ固定部を前記ハンガに固定できてもよい。【０００９】
上記構成によれば、ドアが全開状態になった際に、異物除去部の下面の先端をドアレールの一方側先端から外側に突出させることができる。したがって、ドアレールの端部に溜まっている異物をドアレールの外側に押し出し易くなり、ドアレールを綺麗に清掃できる。【００１０】
また、本発明において、前記異物除去部が高さ方向の一方側に前記高さ方向に略直交する方向に延在するように設けられ、高さ方向の他方側に位置する部分を有する給油材取付部を含む本体と、先端側が前記本体から前記高さ方向の他方側に突出している状態で前記給油材取付部に取り付けられ、油が含浸可能な材料で構成される給油材と、前記本体を保持する保持部、及び前記ハンガ固定部を有する保持具と、を備え、前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能でもよい。【００１１】
上記構成によれば、第１状態において、給油材取付部に取り付けられた給油材の下側端部をドアレールの上面に接触させることで、給油材に含浸させた油でドアレールの上面を潤滑できる。よって、エレベーターの通常運行時に第１状態にしておくことで、ドアレール清掃装置を通常運行時に給油装置として使用でき、ローラがドアレール上を円滑に回転移動し易い。【００１２】
また、第２状態において、異物除去部の下面をドアレールの上面に接触させると共に異物除去部をローラよりも先端側に配置できる。したがって、ドアレールの清掃時に、第２状態で、ドアを全開状態に開き方向に移動させたり、全開状態から閉じ方向に移動させることで、ドアレール上の異物の除去動作を実行できる。【００１３】
更には、エレベーターの通常運行時に第１状態にしておくことで、給油材からの油でドアレールを常時潤滑できるだけでなく、異物除去部をドアレールに接触させない状態で給油材の上側に保有できる。したがって、ドアレールの清掃時にドアレール清掃装置を持参する必要がなく、本体をひっくり返して保持部に保持させるだけでドアレールの清掃を実行できる。よって、ドアレール清掃装置の取り扱いの利便性を優れたものにできる。【００１４】
また、本発明において、前記給油材取付部は、前記高さ方向の他方側に開口を有する収容凹部であり、前記給油材は、前記収容凹部に収容される収容部と、前記開口から前記高さ方向の他方側に突出する突出部を有し、前記本体は、前記収容凹部の底部を構成する底板部を前記高さ方向の一方側に有し、前記底板部が、前記収容凹部に連通する貫通孔を有してもよい。【００１５】
上記構成によれば、収容凹部に給油材の収容部を圧入等で収容するだけで本体に給油材を容易かつ確実に取り付けできる。また、給油材の取付時に収容部の外面の大部分を収容凹部の内面で覆うことができるので、給油材に含浸された油の乾燥や揮発を抑制できる。更には、収容凹部の底部を構成する底板部に貫通孔が設けられるので、エレベーターが通常運行を行っていて給油材がドアレールの上面に接触しているときに、スポイト等を用いて潤滑油を上側から貫通孔を介して給油材の収容部に供給できる。よって、ハンガから清掃装置を取り外すことなく、潤滑油を給油材に容易に補充できる。【００１６】
また、本発明において、前記ハンガに取り付けられるハンガ取付部、及び高さ方向に延在する押圧部を有する押圧構造を更に備え、前記第２状態において前記押圧部が前記給油材取付部に取り付けられた前記給油材を前記高さ方向の一方側に押圧することで前記異物除去部を前記上面に押圧してもよい。【００１７】
上記構成によれば、第２状態において押圧構造で異物除去部をドアレールの上面に押圧できる。よって、清掃時に異物除去部の下面をドアレールの上面に密着させることができ、ドアレール上の異物を効果的にこそげとることができる。【００１８】
また、本発明に係るドアレール清掃方法は、本発明のドアレール清掃装置を用いてエレベーターにおいてドアを吊り下げ案内するドアレールを清掃するドアレール清掃方法であって、前記ドアの全開状態において、前記ドアレール清掃装置の前記異物除去部の前記下面の一部が前記ドアレールの上面に接触すると共に前記下面の先端が前記ドアレールの一方側先端から外側に突出するように、前記ハンガ固定部を前記ハンガに固定する固定ステップと、前記固定ステップの後、前記ドアを前記全開状態まで開き方向に移動させる移動ステップと、を含む。【００１９】
また、本発明に係るエレベーターは、本発明のドアレール清掃装置を備える。【００２０】
これらの発明によれば、ドアレールの端部に溜まった異物を除去し易い。【００２１】
また、本発明のエレベーターにおいて、ドアの全開状態において、前記ドアレール清掃装置の前記異物除去部の前記下面の一部がドアレールの上面に接触すると共に前記下面の先端が前記ドアレールの一方側先端から外側に突出してもよい。【００２２】
上記構成によれば、ドアが全開状態になった際に、異物除去部の下面の先端をドアレールの一方側先端から外側に突出させることができる。したがって、ドアレールの端部に溜まっている異物をドアレール外に押し出し易くなり、ドアレールを綺麗に清掃できる。
【発明の効果】
【００２３】
本発明に係るドアレール清掃装置、ドアレール清掃方法、及びエレベーターによれば、ドアレールの端部に溜まった異物を容易に除去し易い。
【図面の簡単な説明】
【００２４】
【図１】エレベーターのカゴ扉を乗場側から見たときの模式正面図であり、カゴ扉の一対のドアの動作について説明する図である。
【図２】通常稼働しているエレベーターにおけるハンガの長手方向外側部分の周辺を示す拡大斜視図である。
【図３】清掃装置を図２に矢印Ａで示す方向から見たときの斜視図である。
【図４】清掃装置の保持具の斜視図である。
【図５】図３に示す場合との比較で、保持具が本体を上下逆さまに保持している清掃装置の図３に対応する斜視図である。
【図６】清掃作業が実行されているエレベーターにおける図２に対応する拡大斜視図である。
【図７】清掃装置が備えることが可能な押圧構造の側面図である。
【図８】変形例の保持具の斜視図である。
【発明を実施するための形態】
【００２５】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。
【００２６】
図１は、エレベーター１のカゴ扉２を乗場側から見たときの模式正面図であり、カゴ扉２の一対のドア２ａ,２ｂの動作について説明する図である。図１に示すように、カゴ５は、その出入口上部に出入口の幅方向に延在するドアレール６を有する。また、各ドア２ａ,２ｂは、ハンガ４ａ,４ｂによって吊り下げられ、各ハンガ４ａ,４ｂには、ドアレール６上を回転移動するローラ７ａ,７ｂが回転自在に取り付けられる。
【００２７】
エレベーター１は、更に、第１及び第２プーリ８ａ,８ｂと、無端ベルト９を備える。第１及び第２プーリ８ａ,８ｂの夫々は、回転軸がカゴ扉２の法線方向に延在するように幅方向に対向配置され、第１プーリ８ａは、モータ１０の動力によって回動する。無端ベルト９は、第１及び第２プーリ８ａ,８ｂに掛け渡され、モータ１０が駆動すれば循環移動する。一方のハンガ４ａは、無端ベルト９の循環移動時に上側で幅方向に移動する上側部分９ａに固定され、他方のハンガ４ｂは、上側部分９ａよりも下側に位置して無端ベルト９の循環移動時に上側部分９ａとは反対側に移動する下側部分９ｂに固定される。
【００２８】
その結果、モータ１０が一方側に回転すれば、各ドア２ａ,２ｂが互いに幅方向の反対側に開き方向に移動し、モータ１０が他方側に回転すれば、各ドア２ａ,２ｂが互いに幅方向の反対側に閉じ方向に移動する。なお、図１に示す例では、循環移動する無端部材が、無端ベルト９であったが、無端部材は、連動ロープ（ループ状の金属製のワイヤー）でもよい。
【００２９】
図２は、通常稼働しているエレベーター１におけるハンガ４ｂの長手方向外側部分の周辺を示す拡大斜視図である。図２に示すように、エレベーター１は、ハンガ４ｂに取り付けられるドアレール清掃装置（以下、単に清掃装置という）２０を備え、清掃装置２０は、保持具３０、本体５０、及び給油材７０を備える。
【００３０】
保持具３０は、複数個所で略直交方向に屈曲する金属製の平板で構成され、ボルト１１でハンガ４ｂのレール側面１２に固定される。詳しくは、保持具３０は、ハンガ固定部の一例としての第１平板部３１、第２平板部３２、第３平板部３３、及び第４平板部３４を含み、第１平板部３１の裏面は、レール側面１２に当接するように配置される。第１平板部３１は、厚さ方向に貫通する凹部又は貫通孔を有する。ボルト１１の軸部をその凹部又は貫通孔を通過させた後、ハンガ４ｂに締め込むことで、第１平板部３１が、ハンガ４ｂに固定される。
【００３１】
第２平板部３２は、第１平板部３１におけるローラ７ｂ側とは反対側の端部から略レール側面１２の法線方向に延在する。また、第３平板部３３は、第２平板部３２における第１平板部３１側とは反対側の端部から第１平板部３１側とは反対側にドアレール６の延在方向に延在する。また、第４平板部３４は、第３平板部３３における第２平板部３２側とは反対側の端部から略上記法線方向にレール側面１２側に延在する。
【００３２】
本体５０は、例えば、アルミニウムやスチール等の金属や、ＡＢＳ樹脂やポリカーボネート等の硬い樹脂で構成される。本体５０は、第２乃至第４平板部３２〜３４で三方が囲まれた凹部に収容される取付部を有する。取付部は、凹部に取り付けられ、その結果、本体５０は保持具３０を介してハンガ４ｂに間接的に取り付けられ、ハンガ４ｂに対して静止する。
【００３３】
給油材７０は、油が含浸可能な素材で構成され、例えば、フェルト、スポンジ、又はブラシ等で構成される。給油材７０には、潤滑油が含浸されている。給油材７０は、本体５０に取り付けられる。上記凹部に対する上記取付部の取付構造、及び本体５０に対する給油材７０の取付構造については、後で詳しく説明する。
【００３４】
給油材７０は、本体５０に取り付けられた状態で本体５０から下側に突出する突出部７１を有し、突出部７１の下端部は、ドアレール６の上面に接触する。ハンガ４ｂの移動に伴って、突出部７１がドアレール６の上面をドアレール６の延在方向に摺動することで、ドアレール６の上端部６ａが、給油材７０に含浸された油で潤滑され、その結果、ローラ７ｂがドアレール６上を円滑に移動可能になる。
【００３５】
図３は、清掃装置２０を図２に矢印Ａで示す方向から見たときの斜視図である。図３に示すように、本体５０は、直方体等の柱で構成される柱部５１と、柱部５１の高さ方向一方側に設けられたスクレイパー部５２を有する。スクレイパー部５２は、異物除去部の一例であり、柱部５１の高さ方向に略直交する直交方向に延在する。スクレイパー部５２の高さ方向一方側の底面５２ａは、平面となっており、この底面５２ａは、清掃装置２０の高さ方向に略直交する方向に広がっている。
【００３６】
スクレイパー部５２は、ヘラ形状を有し、より詳しくは、上記直交方向の先端側に行くにしたがって厚さが小さくなる尖った刃形状を有している。スクレイパー部５２が尖った刃形状を有しているので、スクレイパー部５２の底面５２ａを平面に当接させた状態で、スクレイパー部５２をその平面に対して相対移動させることで、その平面上に付着又は堆積している異物をこそげとることができ、その平面を清掃できる。
【００３７】
柱部５１は、給油材取付部の一例としての収容凹部７３を有する。収容凹部７３は、高さ方向に延在し、高さ方向他方側のみに開口する。給油材７０は、先端側が収容凹部７３から高さ方向他方側に突出している状態で収容凹部７３に圧入等で取り付けられる。給油材７０は、本体５０から離脱可能でもよいが、接着剤等で本体５０に固着されてもよい。給油材７０は、収容凹部７３に収容される収容部７７と、収容凹部７３の開口７５から高さ方向他方側に突出する突出部７１を有する。更には、本体５０は、収容凹部７３の底部を構成する底板部５５を高さ方向の一方側に有する。底板部５５には、収容凹部７３に連通する貫通孔５６が設けられる。
【００３８】
次に、保持具３０による本体５０の保持構造について説明する。図４は、保持具３０の斜視図である。図４に示すように、保持具３０は、上述の第１乃至第４平板部３１〜３４を備え、第１平板部３１には、１以上の凹部３５が設けられる。凹部３５は、高さ方向の片側に開口すると共に第１平板部３１を厚さ方向に貫通する。
【００３９】
保持具３０は、更に係止爪３６を備える。係止爪３６は、第４平板部３４の第３平板部３３側とは反対側の端部から第２平板部３２側に突出する。第１乃至第４平板部３１〜３４と、係止爪３６は、同一の高さを有する。再度、図３を参照して、第４平板部３４及び係止爪３６を、係止爪３６を第４平板部３４側に変形させるように歪ませて、本体５０の側面を、係止爪３６と第２平面部３２で挟み込んで両側から押圧する。この押圧力で本体５０が保持具３０に保持される。第２乃至第４平板部３２〜３４及び係止爪３６は、本体５０を保持する保持部を構成する。
【００４０】
図３に示すように、保持具３０は、複数の屈曲部を有する帯状の金属材で構成され、本体５０は、高さ方向に延在する柱部５１を有する。係る構造により、図５に示すように、図３との比較において柱部５１の高さ方向を逆にした状態で本体５０を保持具３０に保持することが可能になる。
【００４１】
そして、図６に示すように、この状態で、ボルト１１の軸部を、保持具３０の凹部３５に挿通した後、ハンガ４ｂに締め込むことで、スクレイパー部５２の底面５２ａをドアレール６の上面６ｂに当接させた状態で、清掃装置２０を、ハンガ４ｂに固定できる。
【００４２】
図２に示すように、保持具３０は、ハンガ４ｂに固定された状態において、保持部が高さ方向の他方側が下側になっている状態（給油材７０が下側になっている状態）の本体５０を保持する第１状態を取り得る。また、図６に示すように、保持具３０は、保持部が高さ方向の一方側が下側になっている状態（スクレイパー部５２が下側になっている状態）の本体５０を保持する第２状態を取り得る。
【００４３】
上述のように、第１状態で、ドア２ａ,２ｂを動かすことで、給油材７０を、ドアレール６の上面６ｂに対してドアレール６の延在方向に摺動させることができ、ドアレール６の上端部６ａを給油材７０に含浸された油で潤滑することができる。また、第２状態で、ドア２ａ,２ｂを動かすことで、ドアレール６の上面６ｂに付着した異物をスクレイパー部５２でこそげとることができ、ドアレール６の上面６ｂを清掃できる。
【００４４】
ハンガ４ｂは、清掃装置２０を取り付けるための取付孔を有する。ボルト１１は凹部３５を介してその取付孔に締め込まれ、その結果、清掃装置２０がハンガ４ｂの所定位置に固定される。エレベーター１は、清掃装置２０がハンガ４ｂの所定位置に固定された状態でドア２ａ,２ｂが全開状態になったとき、スクレイパー部５２の先端が、ドアレール６の先端よりも外側に位置するようになっている。図１に示すように、エレベーター１では、他の清掃装置２０が、ハンガ４ａにおけるローラ７ａの外側に取り付けられている。
【００４５】
以上、清掃装置２０は、エレベーター１においてドア２ａ,２ｂを吊り下げ案内するドアレール６を清掃するために用いられる。また、清掃装置２０は、ドア２ａ,２ｂが吊り下げられるハンガ４ａ,４ｂに固定される第１平板部（ハンガ固定部）３１と、ドアレール６を清掃する際にドアレール６の上面６ｂに接触する底面（下面）５２ａを有して、ドアレール６上の異物をこそげとるためのスクレイパー部（異物除去部）５２を備える。
【００４６】
したがって、スクレイパー部５２の底面５２ａをドアレール６の上面６ｂに接触させると共にスクレイパー部５２をドアレール６上を摺動するローラ７ａ,７ｂよりも先端側に配置した状態で清掃装置２０をエレベーター１のハンガ４ａ,４ｂに固定できる。また、清掃装置２０をそのようにハンガ４ａ,４ｂに固定した状態で、ドア２ａ,２ｂを全開状態まで開き方向に移動させたり、全開状態から閉じ方向に移動させることができる。したがって、その動作で、ドアレール６の端部に溜まっている異物をスクレイパー部５２でこそげとってドアレール６外に押し出したり、こそげとった異物をスクレイパー部５２にくっつけてドアレール６の内側に運ぶことが可能になる。よって、従来の清掃作業では手が届きにくくて除去しにくかったドアレール６の端部に位置する異物を除去し易くなるので、ドア２ａ,２ｂを円滑に移動させることができる。
【００４７】
また、ドア２ａ,２ｂの全開状態において、スクレイパー部５２の底面５２ａの一部がドアレール６の上面６ｂに接触すると共に底面５２ａの先端がドアレール６の一方側先端から外側に突出するように、第１平板部３１をハンガ４ａ,４ｂに固定できてもよい。
【００４８】
上記構成によれば、ドア２ａ,２ｂが全開状態になった際に、スクレイパー部５２の底面５２ａの先端をドアレール６の一方側先端から外側に突出させることができる。したがって、ドアレール６の端部に溜まっている異物をドアレール６の外側に押し出し易くなり、ドアレール６を綺麗に清掃できる。
【００４９】
また、清掃装置２０は、スクレイパー部５２が高さ方向の一方側に高さ方向に略直交する方向に延在するように設けられる本体５０を備えてもよく、本体５０は、高さ方向の他方側に位置する部分を有する収容凹部（給油材取付部）７３を含んでもよい。また、清掃装置２０は、先端側が本体５０から高さ方向の他方側に突出している状態で収容凹部７３に取り付けられ、油が含浸可能な材料で構成される給油材７０と、本体５０を保持する保持部、及び第１平板部３１を有する保持具３０を備えてもよい。また、清掃装置２０は、第１平板部３１がハンガ４ａ,４ｂに固定された状態において、保持部が高さ方向の他方側（給油材７０側）が下側になっている状態で本体５０を保持する第１状態と、保持部が高さ方向の一方側（スクレイパー部５２側）が下側になっている状態で本体５０を保持する第２状態とを取り得ることが可能でもよい。
【００５０】
上記構成によれば、第１状態において、収容凹部７３に取り付けられた給油材７０の下側端部をドアレール６の上面６ｂに接触させることで、給油材７０に含浸させた油でドアレール６の上面６ｂを潤滑できる。よって、エレベーター１の通常運行時に第１状態にしておくことで、清掃装置２０を通常運行時に給油装置として使用でき、ローラ７ａ,７ｂがドアレール６上を円滑に回転移動し易い。
【００５１】
また、第２状態において、スクレイパー部５２の底面５２ａをドアレール６の上面６ｂに接触させると共にスクレイパー部５２をローラ７ａ,７ｂよりも先端側に配置できる。したがって、ドアレール６の清掃時に、第２状態で、ドア２ａ,２ｂを全開状態に開き方向に移動させたり、全開状態から閉じ方向に移動させることで、ドアレール６上の異物の除去動作を実行できる。
【００５２】
更には、エレベーター１の通常運行時に第１状態にしておくことで、給油材７０からの油でドアレール６を常時潤滑できるだけでなく、スクレイパー部５２をドアレール６に接触させない状態で給油材７０の上側に保有できる。したがって、ドアレール６の清掃時に清掃装置２０を持参する必要がなく、本体５０をひっくり返して保持具３０の保持部に保持させるだけでドアレール６の清掃を実行できる。よって、清掃装置２０の取り扱いの利便性を優れたものにできる。
【００５３】
また、給油材取付部は、高さ方向の他方側に開口７５を有する収容凹部７３でもよい。また、給油材７０は、収容凹部７３に収容される収容部７７と、開口７５から高さ方向の他方側に突出する突出部７１を有してもよい。また、本体５０は、収容凹部７３の底部を構成する底板部５５を高さ方向の一方側に有してもよい。そして、底板部５５が、収容凹部７３に連通する貫通孔５６を有してもよい。
【００５４】
上記構成によれば、収容凹部７３に給油材７０の収容部７７を圧入等で収容するだけで本体５０に給油材７０を容易かつ確実に取り付けできる。また、給油材７０の取付時に収容部７７の外面の大部分を収容凹部７３の内面で覆うことができるので、給油材７０に含浸された油の乾燥や揮発を抑制できる。更には、収容凹部７３の底部を構成する底板部５５に貫通孔５６が設けられるので、エレベーター１が通常運行を行っていて給油材７０がドアレール６の上面６ｂに接触しているときに、スポイト等を用いて潤滑油を上側から貫通孔５６を介して給油材７０の収容部７７に供給できる。よって、ハンガ４ａ,４ｂから清掃装置２０を取り外すことなく、潤滑油を給油材７０に容易に補充できる。
【００５５】
また、本開示に係るドアレール清掃方法は、本開示の清掃装置２０を用いてエレベーター１においてドア２ａ,２ｂを吊り下げ案内するドアレール６を清掃する清掃方法である。また、そのドアレール清掃方法は、ドア２ａ,２ｂの全開状態において、清掃装置２０のスクレイパー部５２の底面５２ａの一部がドアレール６の上面６ｂに接触すると共に底面５２ａの先端がドアレール６の一方側先端から外側に突出するように、第１平板部（ハンガ固定部）３１をハンガ４ａ,４ｂに固定する固定ステップと、固定ステップの後、ドア２ａ,２ｂを全開状態まで開き方向に移動させる移動ステップを含む。なお、移動ステップでは、ドア２ａ,２ｂを、最低、１往復移動させるのが好ましく、２往復以上移動させるのがより好ましい。また、移動ステップで、ドア２ａ,２ｂを５往復以上移動させると、ドアレール６の上面６ｂに固着している異物でも除去し易い。
【００５６】
また、本開示のエレベーター１は、本開示の清掃装置２０を備えていればよい。しかし、エレベーター１は、ドア２ａ,２ｂの全開状態において、清掃装置２０のスクレイパー部５２の底面５２ａの一部がドアレール６の上面６ｂに接触すると共に底面５２ａの先端がドアレール６の一方側先端から外側に突出すると好ましい。この場合、ドアレール６の端部に溜まっている異物をドアレール６の外側に押し出し易くなり、ドアレール６を綺麗に清掃できる。
【００５７】
なお、本発明は、上記実施形態およびその変形例に限定されるものではなく、本願の特許請求の範囲に記載された事項およびその均等な範囲において種々の改良や変更が可能である。
【００５８】
例えば、上記実施形態では、第２状態でスクレイパー部５２を下側に押圧する構造が存在しなかった。しかし、清掃装置は、第２状態でスクレイパー部５２を下側に押圧する構造を有してもよい。詳しくは、清掃装置は、図７に側面図を示す押圧構造８０を更に備えてもよく、押圧構造８０が、ハンガに取り付けられるハンガ取付部の一例としての平板形状の磁石８１を有してもよい。また、押圧構造８０が、磁石８１が固着された連結部８２を介して磁石８１に接続される押圧部の一例としてのコイルバネ８３を有してよく、磁石８１の取付面８１ａをハンガのドアレール側面に取り付けた際にコイルバネ８３が鉛直方向に延在可能でもよい。
【００５９】
そして、図６を参照して、磁石８１を、ハンガ４ｂのレール側面１２においてハンガ４ｂに固定された清掃装置２０の給油材７０の上側に位置する上側領域１２ａに取り付けると共に、コイルバネ８３で給油材７０を下側に押圧してもよい。このようにして、コイルバネ８３で給油材７０を下側に押圧することで、コイルバネ８３で給油材７０を介してスクレイパー部５２を下側に押圧して、スクレイパー部５２の底面５２ａをドアレール６の上面６ｂに押圧してもよい。
【００６０】
本構成によれば、第２状態において押圧構造８０でスクレイパー部５２の底面５２ａをドアレール６の上面６ｂに押圧できる。よって、スクレイパー部５２の底面５２ａをドアレール６の上面６ｂに密着させることができ、ドアレール６上の異物を効果的にこそげとることができる。なお、ハンガ取付部が、磁石８１である場合について説明したが、ハンガ取付部は、ボルト等の締結部材と、レール側面においてハンガに固定された清掃装置の給油材の上側に位置するねじ孔を含んでもよい。また、押圧部を、コイルバネ８３で構成したが、押圧部は、棒状部で構成してもよく、ハンガ取付部をハンガの所定位置に取り付けた際にその棒状部が鉛直方向に延在してもよい。
【００６１】
また、保持具３０も、図４に示す構造でなくてもよい。例えば、図８に示す構造等でもよく、保持具１３０は、ハンガに取り付ける第１平板部１３１に略平行な第２平板部１３２及び第３平板部１３３を備え、第１平板部１３１の法線方向から見たとき、第２平板部１３２及び第３平板部１３３の全てが、第１平板部１３１に重なってもよい。
【００６２】
また、保持具１３０は、第１平板部１３１と第２平板部１３２の延在方向の一方側端部同士を連結すると共に上記法線方向に延在する第４平板部１３４と、第２平板部１３２と第３平板部１３３の延在方向の他方側端部同士を連結すると共に上記法線方向に延在する第５平板部１３５を備えてもよい。
【００６３】
また、保持具１３０は、第３平板部１３３の一方側端部から法線方向の第１平板部１３１側に突出する係止爪１３６を備えてもよい。そして、第２平板部１３２、第３平板部１３３、第５平板部１３５、及び係止爪１３６で、清掃装置の本体を保持する保持部を構成してもよい。また、保持具１３０は、第４平板部１３４の第３平板部１３３側に法線方向に突出する突出部１３７を有してもよく、この突出部１３７で本体の保持部からの離脱を抑制してもよい。又は、保持具は、図４及び図８に示す構造以外の構造を有してもよい。要は、保持具は、本体を保持する保持部と、ハンガに固定されるハンガ固定部を有する構造であれば、如何なる構造を有してもよい。
【００６４】
また、本体５０が、保持具３０に係止爪３６を用いて保持される場合について説明したが、本体を、保持具にねじ止めすることで保持具に保持させてもよい。
【００６５】
また、保持具３０のハンガ固定部が、ボルト１１が挿通される１以上の凹部３５を含む場合について説明したが、保持具のハンガ固定部は、ボルトが挿通される１以上の貫通孔を含んでもよい。又は、保持具のハンガ固定部は、ボルトが挿通される１以上の凹部と、、ボルトが挿通される１以上の貫通孔を含んでもよい。
【００６６】
また、図５に示すように、本体５０の柱部５１が、直方体形状を有する場合について説明したが、本体の柱部は、円柱形状や、直方体以外の多角柱の形状でもよく、柱状であればよい。
【００６７】
また、異物除去部を、尖ったスクレイパー部５２で構成し、そのスクレイパー部５２が柱部５１から本体５０の高さ方向に略直交する直交方向に延在する場合について説明した。しかし、異物除去部は、清掃装置をハンガに設置した状態でドアレールの先端側が尖っていなくてもよい。また、異物除去部は、本体における異物除去部以外の部分から直交方向に突出しなくてもよい。例えば、柱部の底面をドアレールの上面に当接させてもよく、異物除去部を柱部の底面で構成してもよい。
【００６８】
異物除去部は、ドアレールの上面に当接する下面を有していればよく、その下面がドアレール上の異物をそぎ落とせる硬さを有していればよい。また、異物除去部の下面の硬さは、給油材として使用可能な材質よりも硬くてもよく、全てのゴム材よりも硬くてもよい。異物除去部の下面の硬さは、ロックウエル硬さを判断基準とした場合に、６０Ｒ（ＲスケールをＲで表す）以上であれば好ましく、８０Ｒ以上であればより好ましく、１００Ｒ以上であれば更に好ましく、１１０Ｒ以上であれば最も好ましい。異物除去部の下面は、そのようなロックウエル硬さを有する樹脂材で構成されてもよいが、金属材で構成されると好ましい。
【００６９】
また、本体５０が、高さ方向の片側のみが開口する収容凹部７３を有し、給油材７０を収容凹部７３に取り付ける場合について説明した。しかし、上述した保持具が本体を保持している構造と同様の構造で、本体が給油材を保持してもよい。又は、本体は、清掃装置がハンガに固定された状態で略鉛直方向に延在する平板部を有し、給油材がその平板部に接着剤等で固着される構造でもよい。この場合、当該平板部が給油材取付部を構成するが、給油材がむき出しになるので、上述の貫通孔５６（図３参照）を本体に設ける必要がない。
【００７０】
また、清掃装置２０が、給油材７０を取り付け可能な構成を有し、清掃機能に加えて給油機能を有する場合について説明した。しかし、清掃装置が、給油材を取り付ける取付部を有さなくてもよく、清掃装置が、給油機能を有さず、清掃機能のみしか有さなくてもよい。
【００７１】
また、エレベーター１が全開状態において、スクレイパー部５２の先端が、ドアレール６の先端よりも外側に突出する場合について説明した。しかし、エレベーターが全開状態において、異物除去部の先端が、ドアレールの先端と同一の位置に存在してもよく、ドアレールの先端よりもドアレールの中央側に位置してもよい。
【００７２】
また、清掃装置２０が、カゴ５のハンガ４ａ,４ｂに設置される場合について説明した。しかし、清掃装置は、乗場扉を吊り下げるハンガに固定されてもよい。特に、カゴのドアレールと同様に、最下階の乗場扉では、人の手がドアレールの先端部に届きにくい場合が多い。したがって、特にそのような乗場扉を吊り下げるハンガに本開示の清掃装置を固定すると、ドアレールの端部を簡単かつ綺麗に清掃できて好ましい。
【００７３】
また、清掃装置２０を、互いに反対方向に移動するドア２ａ,２ｂを含む両開き式扉に適用する場合について説明した。しかし、清掃装置は、１以上のドアを備えると共に全てのドアが同一方向に移動する片開き式扉に適用されてもよい。
【符号の説明】
【００７４】
１  エレベーター、  ２ａ,２ｂ  ドア、  ４ａ,４ｂ  ハンガ、  ６  ドアレール、  ６ｂ  ドアレールの上面、  ２０  清掃装置、  ３０,１３０  保持具、  ３１,１３１  第１平板部（ハンガ固定部）、  ５０  本体、  ５２  スクレイパー部（異物除去部）、  ５２ａ  スクレイパー部の底面（異物除去部の下面）、  ５５  本体の底板部、  ５６  貫通孔、  ７０  給油材、  ７１  給油材の突出部、  ７３  収容凹部（給油材取付部）、  ７５  収容凹部の開口、  ７７  給油材の収容部、  ８０  押圧構造、  ８１  磁石（ハンガ取付部）、  ８１ａ  磁石の取付面、  ８３  コイルバネ（押圧部）。
【図１】
2020008596.tif 000003
【図２】
2020008596.tif 000004
【図３】
2020008596.tif 000005
【図４】
2020008596.tif 000006
【図５】
2020008596.tif 000007
【図６】
2020008596.tif 000008
【図７】
2020008596.tif 000009
【図８】
2020008596.tif 000010
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
エレベーターにおいてドアを吊り下げ案内するドアレールを清掃するためのドアレール清掃装置であって、
前記ドアが吊り下げられるハンガに固定されるハンガ固定部と、
前記ドアレールを清掃する際に前記ドアレールの上面に接触する下面を有して、前記ドアレール上の異物をこそげとるための異物除去部と、
を備え、
前記異物除去部が高さ方向の一方側に前記高さ方向に略直交する方向に延在するように設けられ、高さ方向の他方側に位置する部分を有する給油材取付部を含む本体と、
先端側が前記本体から前記高さ方向の他方側に突出している状態で前記給油材取付部に取り付けられ、油が含浸可能な材料で構成される給油材と、
前記本体を保持する保持部、及び前記ハンガ固定部を有する保持具と、を備え、
前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能である、ドアレール清掃装置。
【請求項２】
前記給油材取付部は、前記高さ方向の他方側に開口を有する収容凹部であり、
前記給油材は、前記収容凹部に収容される収容部と、前記開口から前記高さ方向の他方側に突出する突出部を有し、
前記本体は、前記収容凹部の底部を構成する底板部を前記高さ方向の一方側に有し、
前記底板部が、前記収容凹部に連通する貫通孔を有する、請求項１に記載のドアレール清掃装置。
【請求項３】
前記ハンガに取り付けられるハンガ取付部、及び高さ方向に延在する押圧部を有する押圧構造を更に備え、
前記第２状態において前記押圧部が前記給油材取付部に取り付けられた前記給油材を前記高さ方向の一方側に押圧することで前記異物除去部を前記上面に押圧する、請求項１又は２に記載のドアレール清掃装置。
【請求項４】
エレベーターにおいてドアを吊り下げ案内するドアレールを清掃するためのドアレール清掃装置であって、
前記ドアが吊り下げられるハンガに固定されるハンガ固定部と、
前記ドアレールを清掃する際に前記ドアレールの上面に接触する下面を有して、前記ドアレール上の異物をこそげとるための異物除去部と、
を備え、
前記異物除去部において前記ドアレールの上面に接触する下面は、給油材として使用可能な材質よりも硬い樹脂材又は金属材で構成される、ドアレール清掃装置。
【請求項５】
前記ドアの全開状態において、前記異物除去部の前記下面の一部が前記ドアレールの前記上面に接触すると共に前記下面の先端が前記ドアレールの一方側先端から外側に突出するように、前記ハンガ固定部を前記ハンガに固定できる、請求項１乃至４のいずれか１つに記載のドアレール清掃装置。
【請求項６】
請求項１乃至５のいずれか１つに記載のドアレール清掃装置を用いてエレベーターにおいてドアを吊り下げ案内するドアレールを清掃するドアレール清掃方法であって、
前記ドアの全開状態において、前記ドアレール清掃装置の前記異物除去部の前記下面の一部が前記ドアレールの上面に接触すると共に前記下面の先端が前記ドアレールの一方側先端から外側に突出するように、前記ハンガ固定部を前記ハンガに固定する固定ステップと、
前記固定ステップの後、前記ドアを前記全開状態まで開き方向に移動させる移動ステップと、を含む、ドアレール清掃方法。
【請求項７】
請求項１乃至５のいずれか１つに記載のドアレール清掃装置を備える、エレベーター。
【請求項８】
ドアの全開状態において、前記ドアレール清掃装置の前記異物除去部の前記下面の一部がドアレールの上面に接触すると共に前記下面の先端が前記ドアレールの一方側先端から外側に突出する、請求項７に記載のエレベーター。
【手続補正２】
【補正対象書類名】明細書
【補正対象項目名】０００６
【補正方法】変更
【補正の内容】
【０００６】
上記課題を解決するため、本発明に係るドアレール清掃装置は、エレベーターにおいてドアを吊り下げ案内するドアレールを清掃するためのドアレール清掃装置であって、前記ドアが吊り下げられるハンガに固定されるハンガ固定部と、前記ドアレールを清掃する際に前記ドアレールの上面に接触する下面を有して、前記ドアレール上の異物をこそげとるための異物除去部と、を備え、前記異物除去部において前記ドアレールの上面に接触する下面は、給油材として使用可能な材質よりも硬い樹脂材又は金属材で構成される。
【手続補正３】
【補正対象書類名】明細書
【補正対象項目名】００１０
【補正方法】変更
【補正の内容】
【００１０】
また、本発明の他の態様に係るドアレール清掃装置は、エレベーターにおいてドアを吊り下げ案内するドアレールを清掃するためのドアレール清掃装置であって、前記ドアが吊り下げられるハンガに固定されるハンガ固定部と、前記ドアレールを清掃する際に前記ドアレールの上面に接触する下面を有して、前記ドアレール上の異物をこそげとるための異物除去部と、を備え、前記異物除去部が高さ方向の一方側に前記高さ方向に略直交する方向に延在するように設けられ、高さ方向の他方側に位置する部分を有する給油材取付部を含む本体と、先端側が前記本体から前記高さ方向の他方側に突出している状態で前記給油材取付部に取り付けられ、油が含浸可能な材料で構成される給油材と、前記本体を保持する保持部、及び前記ハンガ固定部を有する保持具と、を備え、前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能である。
【手続補正４】
【補正対象書類名】明細書
【補正対象項目名】００１１
【補正方法】変更
【補正の内容】
【００１１】
本発明によれば、第１状態において、給油材取付部に取り付けられた給油材の下側端部をドアレールの上面に接触させることで、給油材に含浸させた油でドアレールの上面を潤滑できる。よって、エレベーターの通常運行時に第１状態にしておくことで、ドアレール清掃装置を通常運行時に給油装置として使用でき、ローラがドアレール上を円滑に回転移動し易い。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
エレベーターにおいてドアを吊り下げ案内するドアレールを清掃するためのドアレール清掃装置であって、
前記ドアが吊り下げられるハンガに固定されるハンガ固定部と、
前記ドアレールを清掃する際に前記ドアレールの上面に接触する下面を有して、前記ドアレール上の異物をこそげとるための異物除去部と、
を備え、
前記異物除去部が高さ方向の一方側に前記高さ方向に略直交する方向に延在するように設けられ、高さ方向の他方側に位置する部分を有する給油材取付部を含む本体と、
先端側が前記本体から前記高さ方向の他方側に突出している状態で前記給油材取付部に取り付けられ、油が含浸可能な材料で構成される給油材と、
前記本体を保持する保持部、及び前記ハンガ固定部を有する保持具と、を備え、
前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能である、ドアレール清掃装置。
【請求項２】
前記給油材取付部は、前記高さ方向の他方側に開口を有する収容凹部であり、
前記給油材は、前記収容凹部に収容される収容部と、前記開口から前記高さ方向の他方側に突出する突出部を有し、
前記本体は、前記収容凹部の底部を構成する底板部を前記高さ方向の一方側に有し、
前記底板部が、前記収容凹部に連通する貫通孔を有する、請求項１に記載のドアレール清掃装置。
【請求項３】
前記ハンガに取り付けられるハンガ取付部、及び高さ方向に延在する押圧部を有する押圧構造を更に備え、
前記第２状態において前記押圧部が前記給油材取付部に取り付けられた前記給油材を前記高さ方向の一方側に押圧することで前記異物除去部を前記上面に押圧する、請求項１又は２に記載のドアレール清掃装置。
【請求項４】
エレベーターにおいてドアを吊り下げ案内するドアレールを清掃するためのドアレール清掃装置であって、
前記ドアが吊り下げられるハンガに固定されるハンガ固定部と、
前記ドアレールを清掃する際に前記ドアレールの上面に接触する下面を有して、前記ドアレール上の異物をこそげとるための異物除去部と、
を備え、
前記異物除去部が高さ方向の一方側に設けられ、高さ方向の他方側に位置する部分を有する給油材取付部を含む本体と、
先端側が前記本体から前記高さ方向の他方側に突出している状態で前記給油材取付部に取り付けられ、油が含浸可能な材料で構成される給油材と、
前記本体を保持する保持部、及び前記ハンガ固定部を有する保持具と、を備え、
前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能である、ドアレール清掃装置。
【請求項５】
前記ドアの全開状態において、前記異物除去部の前記下面の一部が前記ドアレールの前記上面に接触すると共に前記下面の先端が前記ドアレールの一方側先端から外側に突出するように、前記ハンガ固定部を前記ハンガに固定できる、請求項１乃至４のいずれか１つに記載のドアレール清掃装置。
【請求項６】
請求項１乃至５のいずれか１つに記載のドアレール清掃装置を用いてエレベーターにおいてドアを吊り下げ案内するドアレールを清掃するドアレール清掃方法であって、
前記ドアの全開状態において、前記ドアレール清掃装置の前記異物除去部の前記下面の一部が前記ドアレールの上面に接触すると共に前記下面の先端が前記ドアレールの一方側先端から外側に突出するように、前記ハンガ固定部を前記ハンガに固定する固定ステップと、
前記固定ステップの後、前記ドアを前記全開状態まで開き方向に移動させる移動ステップと、を含む、ドアレール清掃方法。
【請求項７】
請求項１乃至５のいずれか１つに記載のドアレール清掃装置を備える、エレベーター。
【請求項８】
ドアの全開状態において、前記ドアレール清掃装置の前記異物除去部の前記下面の一部がドアレールの上面に接触すると共に前記下面の先端が前記ドアレールの一方側先端から外側に突出する、請求項７に記載のエレベーター。
【手続補正２】
【補正対象書類名】明細書
【補正対象項目名】０００６
【補正方法】変更
【補正の内容】
【０００６】
上記課題を解決するため、本発明に係るドアレール清掃装置は、エレベーターにおいてドアを吊り下げ案内するドアレールを清掃するためのドアレール清掃装置であって、前記ドアが吊り下げられるハンガに固定されるハンガ固定部と、前記ドアレールを清掃する際に前記ドアレールの上面に接触する下面を有して、前記ドアレール上の異物をこそげとるための異物除去部と、を備え、前記異物除去部が高さ方向の一方側に前記高さ方向に略直交する方向に延在するように設けられ、高さ方向の他方側に位置する部分を有する給油材取付部を含む本体と、先端側が前記本体から前記高さ方向の他方側に突出している状態で前記給油材取付部に取り付けられ、油が含浸可能な材料で構成される給油材と、前記本体を保持する保持部、及び前記ハンガ固定部を有する保持具と、を備え、前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能である。
また、本発明に係る別の態様のドアレール清掃装置は、エレベーターにおいてドアを吊り下げ案内するドアレールを清掃するためのドアレール清掃装置であって、前記ドアが吊り下げられるハンガに固定されるハンガ固定部と、前記ドアレールを清掃する際に前記ドアレールの上面に接触する下面を有して、前記ドアレール上の異物をこそげとるための異物除去部と、を備え、前記異物除去部が高さ方向の一方側に設けられ、高さ方向の他方側に位置する部分を有する給油材取付部を含む本体と、先端側が前記本体から前記高さ方向の他方側に突出している状態で前記給油材取付部に取り付けられ、油が含浸可能な材料で構成される給油材と、前記本体を保持する保持部、及び前記ハンガ固定部を有する保持具と、を備え、前記ハンガ固定部が前記ハンガに固定された状態において、前記保持部が前記高さ方向の他方側が下側になっている状態で前記本体を保持する第１状態と、前記保持部が前記高さ方向の一方側が下側になっている状態で前記本体を保持する第２状態とを取り得ることが可能である。
【手続補正３】
【補正対象書類名】明細書
【補正対象項目名】００１０
【補正方法】削除
【補正の内容】
【国際調査報告】
2020008596.tif 000011
2020008596.tif 000012
2020008596.tif 000013
2020008596.tif 000014